(57)【要約】【課題】既築建物の防蟻を効果的に図ることができる既築建物の防蟻改修方法を提供する。【解決手段】既築建物Ａのべた基礎（基礎）１の外周面１ａに設けられた基礎断熱材２の内部をシロアリ３が通過してべた基礎１上に設置された木造構造体４へ侵入するのを防止できるように既築建物Ａを改修する方法であって、基礎断熱材２の地面５ｂから少なくとも地上の所定高さまでの部分を除去し、べた基礎１の外周面１ａに改修用基礎断熱材６を取り付け、メッシュ７で改修用基礎断熱材６の外側面６ａの下端から少なくとも地上の所定高さまでの範囲及び下面６ｂを被覆すると共に、このメッシュ７の下端７ｂをべた基礎１の外周面１ａに取り付ける。また、基礎断熱材２の外側の地盤５を掘削してから、基礎断熱材２の下端から少なくとも地上の所定高さまでの部分を除去し、べた基礎１の外周面１ａに改修用基礎断熱材６を取り付ける。【選択図】      図４
2004293164.tif 000002
【特許請求の範囲】
【請求項１】
既築建物の基礎の外周面に設けられた基礎断熱材の内部をシロアリが通過して前記基礎上に設置された木造構造体へ侵入するのを防止できるように前記既築建物を改修する方法であって、
前記基礎断熱材の地面から少なくとも地上の所定高さまでの部分を除去し、
前記基礎の外周面に改修用基礎断熱材を取り付け、
前記シロアリに対する耐食害性を有しかつ前記シロアリの頭部横断面における最大直線寸法の２倍以下の寸法である複数のアンカー孔を有するメッシュで前記改修用基礎断熱材の外側面の下端から少なくとも地上の所定高さまでの範囲及び下面を被覆すると共に、このメッシュの下端を前記基礎の外周面に取り付けることを特徴とする既築建物の防蟻改修方法。
【請求項２】
前記基礎断熱材の外側の地盤を前記基礎断熱材が露出するように掘削してから、前記基礎断熱材の下端から少なくとも地上の所定高さまでの部分を除去し、前記基礎の外周面に前記改修用基礎断熱材を取り付ける請求項１記載の既築建物の防蟻改修方法。
【請求項３】
前記メッシュの下端を前記基礎の外周面に取り付けた後、このメッシュの下端の外側から熱橋防止用基礎断熱材を取り付ける請求項１又は２記載の既築建物の防蟻改修方法。
【請求項４】
既築建物の基礎の外周面又は内周面に設けられた基礎断熱材の内部をシロアリが通過して前記基礎上に設置された木造構造体へ侵入するのを防止できるように前記既築建物を改修する方法であって、
前記基礎断熱材におけるこの基礎断熱材の外側又は内側の地盤上に施工されたコンクリート体の上面から上方の部分を除去し、
前記シロアリに対する耐食害性を有しかつ前記シロアリの頭部横断面における最大直線寸法の２倍以下の寸法である複数のアンカー孔を有するメッシュで少なくとも前記基礎断熱材の上面を被覆し、このメッシュの上端を前記基礎の外周面又は内周面に取り付けると共に、このメッシュの外端又は内端を前記コンクリート体の上面に取り付け、
前記基礎の外周面又は内周面に前記メッシュの上端を介して改修用基礎断熱材を取り付けることを特徴とする既築建物の防蟻改修方法。
【請求項５】
前記メッシュの上から改修用モルタルを塗布する請求項１乃至４のいずれか記載の既築建物の防蟻改修方法。
【請求項６】
前記既築建物の改修を、前記基礎断熱材の一部を除去してから行う請求項１乃至５のいずれか記載の既築建物の防蟻改修方法。
【発明の詳細な説明】
【０００１】
【発明の属する技術分野】
この発明は、既に建築された既築建物のシロアリ対策のために使用される既築建物の防蟻改修方法に関する。
【０００２】
【従来の技術】
周知のように、建物の基礎の外周面に基礎断熱材を設ける基礎外断熱工法は、基礎の耐久性と熱橋防止、基礎の熱容量活用の観点から有益な工法である。しかし、この基礎外断熱工法をシロアリが生息する温暖な地域で採用する場合は、何らかの工夫〔ベイト工法（レスケミカル法）やメッシュ工法（例えば、特許文献１参照）等〕をする必要があると言われており（例えば、非特許文献１参照）、何らの工夫もしていない基礎外断熱工法を採用した既築建物に対する基礎断熱材のシロアリ対策が望まれている。
【０００３】
【特許文献１】
特表平８−５０６８６８号公報（第２−６頁，図１，図２，図６等）
【非特許文献１】
「木造住宅工事共通仕様書（解説付）〈住宅金融公庫基準適合仕様確認書付き〉平成１４年度版（全国版）」，発行：財団法人住宅金融普及協会，監修：住宅金融公庫，ｐ．２７
【０００４】
【発明が解決しようとする課題】
しかしながら、メッシュを利用する従来のメッシュ工法は、建物の新築時に採用されるものであり、既に建築された既築建物に採用するのは困難であるという問題点がある。
【０００５】
また、ベイト工法は、シロアリの活動をモニタリングしながら、侵入してきたシロアリに少量の薬剤を含む毒餌を摂食させてコロニー全体の活力を衰退させるものであるので、既築建物に採用することはできるが、その開始から終了までに数カ月〜数年程度の長期間を要するという問題点がある。
【０００６】
この発明は、以上のような事情や問題点に鑑みてなされたものであり、既築建物の防蟻を効果的に図ることができる既築建物の防蟻改修方法を提供することを目的とする。
【０００７】
【課題を解決するための手段】
上記目的を達成するための請求項１の発明は、既築建物の基礎の外周面に設けられた基礎断熱材の内部をシロアリが通過して前記基礎上に設置された木造構造体へ侵入するのを防止できるように前記既築建物を改修する方法であって、前記基礎断熱材の地面から少なくとも地上の所定高さまでの部分を除去し、前記基礎の外周面に改修用基礎断熱材を取り付け、前記シロアリに対する耐食害性を有しかつ前記シロアリの頭部横断面における最大直線寸法の２倍以下の寸法である複数のアンカー孔を有するメッシュで前記改修用基礎断熱材の外側面の下端から少なくとも地上の所定高さまでの範囲及び下面を被覆すると共に、このメッシュの下端を前記基礎の外周面に取り付けるものである。
【０００８】
請求項２の発明は、前記基礎断熱材の外側の地盤を前記基礎断熱材が露出するように掘削してから、前記基礎断熱材の下端から少なくとも地上の所定高さまでの部分を除去し、前記基礎の外周面に前記改修用基礎断熱材を取り付けるものである。
【０００９】
請求項３の発明は、前記メッシュの下端を前記基礎の外周面に取り付けた後、このメッシュの下端の外側から熱橋防止用基礎断熱材を取り付けるものである。
【００１０】
請求項４の発明は、既築建物の基礎の外周面又は内周面に設けられた基礎断熱材の内部をシロアリが通過して前記基礎上に設置された木造構造体へ侵入するのを防止できるように前記既築建物を改修する方法であって、前記基礎断熱材におけるこの基礎断熱材の外側又は内側の地盤上に施工されたコンクリート体の上面から上方の部分を除去し、前記シロアリに対する耐食害性を有しかつ前記シロアリの頭部横断面における最大直線寸法の２倍以下の寸法である複数のアンカー孔を有するメッシュで少なくとも前記基礎断熱材の上面を被覆し、このメッシュの上端を前記基礎の外周面又は内周面に取り付けると共に、このメッシュの外端又は内端を前記コンクリート体の上面に取り付け、前記基礎の外周面又は内周面に前記メッシュの上端を介して改修用基礎断熱材を取り付けるものである。
【００１１】
請求項５の発明は、前記メッシュの上から改修用モルタルを塗布するものである。
【００１２】
請求項６の発明は、前記既築建物の改修を、前記基礎断熱材の一部を除去してから行うものである。
【００１３】
【発明の実施の形態】
以下、この発明の実施形態を図面に基づいて説明する。
第１実施形態に係る既築建物Ａの防蟻改修方法は、図１乃至図７に示すように、既築建物Ａのべた基礎（基礎）１の外周面１ａに設けられた基礎断熱材２の内部をシロアリ３が通過してべた基礎１上に設置された木造構造体４へ侵入するのを防止できるように既築建物Ａを改修するものであって、基礎断熱材２の外側の地盤５を掘削し、基礎断熱材２の下端から少なくとも地上の所定高さＬまでの部分を除去し、べた基礎１の外周面１ａに改修用基礎断熱材６を取り付け、メッシュ７で改修用基礎断熱材６の外側面６ａ及び下面６ｂを被覆すると共に、このメッシュ７の下端７ｃをべた基礎１の外周面１ａに取り付け、このメッシュ７の上から改修用モルタル８を、基礎断熱材２の外側面２ａに塗布された仕上げモルタル９と面一となるように塗布し、この改修用モルタル８及び仕上げモルタル９の上から仕上げモルタル１０を塗布するものである。
【００１４】
べた基礎１は、図１に示すように、既築建物Ａの下部に施工された基礎スラブ１１と、この基礎スラブ１１の外周部上に立設された立ち上がり部１２とを備えている。基礎スラブ１１の外周部は、他の部分よりも厚さが大きい肉厚部１３とされている。基礎スラブ１１の下には砕石層１４が施工されており、この砕石層１４の外周部上には捨てコンクリート１５が施工されている。なお、基礎はべた基礎１に限定されるものではなく、後述の第８及び第９実施形態のように、布基礎等であってもよい。また、捨てコンクリート１５や基礎スラブ１１の肉厚部１３は必須のものではない。更に、砕石層１４上には、防湿シート等を敷設できる。
【００１５】
基礎断熱材２は、矩形状の合成樹脂発泡板等から構成されており、べた基礎１の外周面１ａに横方向に相隣接して設けられている。べた基礎１の外周面１ａは、基礎スラブ１１の外周面１１ａと立ち上がり部１２の外側面１２ａとから構成されている。基礎断熱材２の外側面２ａの上端から地下の所定深さまでの範囲には、仕上げモルタル９が塗布されている。なお、仕上げモルタル９は、地下まで達していなくてもよく、あるいは基礎断熱材２の外側面２ａ全体に塗布されていてもよい。
【００１６】
シロアリ３とは、ゴキブリに近縁の社会生活をする不完全変態の昆虫であって、シロアリ目（等翅類）Ｉｓｏｐｔｅｒａの総称である。このシロアリ３は、図７に示すように、非変形性の堅い頭部３ａを有する一方、比較的柔らかくて弱い体部３ｂを有している。このようなシロアリ３としては、ヤマトシロアリやイエシロアリ等が挙げられる。
【００１７】
木造構造体４は、図１に示すように、べた基礎１上に設置されている。このような木造構造体４としては、木造の軸組Ｂ、壁パネル、床組Ｃ、床パネル等が挙げられる。防蟻改修前の既築建物Ａにおける基礎断熱材２の内部へのシロアリ３の侵入経路としては、基礎断熱材２の仕上げモルタル９が塗布されていない部分、仕上げモルタル９に生じたひび割れ部分、基礎断熱材２の外側面２ａ全体に仕上げモルタル９が塗布されているときには仕上げモルタル９と捨てコンクリート１５又は砕石層１４との隙間等が挙げられる。
【００１８】
既築建物Ａの防蟻改修に際しては、図２に示すように、まず、基礎断熱材２の外側の地盤５を基礎断熱材２の地盤５中に埋設された部分が露出するように掘削し、基礎断熱材２の下端から少なくとも地上の所定高さＬまでの部分を仕上げモルタル９と共に除去する。除去後の基礎断熱材２の下面２ｂや基礎断熱材２の除去部分を観察すれば、基礎断熱材２がシロアリ３による食害を受けているか否かを確認できる。地上の高さＬは、基礎断熱材２の下に取り付けられる改修用基礎断熱材６の外側面６ａをメッシュ７で防蟻が確実となる高さまで被覆できるように、５０ｍｍ以上、更には１００ｍｍ以上、特には１５０ｍｍ以上であることが望ましい。なお、基礎断熱材２は全て除去することもできるが、この場合の説明は、後述する第３実施形態で行う。
【００１９】
次いで、図３に示すように、べた基礎１の外周面１ａに改修用基礎断熱材６を基礎断熱材２の下面２ｂに当接するように接着剤又は接着モルタル（樹脂モルタル）等で取り付ける。改修用基礎断熱材６は、基礎断熱材２と同様の材質で構成されている。改修用基礎断熱材６と捨てコンクリート１５等との間隔、即ち、べた基礎１の外周面１ａ（基礎スラブ１１の外周面１１ａ）の露出部分の高さは、メッシュ７の下端７ｂを簡単にかつ確実に取り付けることができるように、６０ｍｍ以上であることが望ましい。
【００２０】
そして、図４に示すように、メッシュ７で改修用基礎断熱材６の外側面６ａ及び下面６ｂを被覆すると共に、このメッシュ７の下端７ｂをべた基礎１の外周面１ａに取り付ける。メッシュ７の改修用基礎断熱材６やべた基礎１への取り付けに際しては、接着モルタル（樹脂モルタル）１６を使用できる。この場合、接着モルタル１６を塗布する前には、メッシュ７を押しピンや釘等の止着部材で少なくとも改修用基礎断熱材６に仮止めすることもでき、また止着部材をそのまま接着モルタル１６で埋設してもよい。メッシュ７の下端７ｂのべた基礎１への取り付け長さ（縦寸法）は、取り付けが確実となるように、６０ｍｍ以上であることが望ましい。なお、基礎断熱材２の下面２ｂが地上の高さＬよりも上方に位置している場合は、改修用基礎断熱材６の防蟻が確実となるように、改修用基礎断熱材６の外側面６ａの下端から少なくとも地上の所定高さＬまでの範囲をメッシュ７で被覆しておけばよい。
【００２１】
メッシュ７は、図８に示すように、シロアリ３に対する耐食害性を有する線材７ｃから製織等され、シロアリ３の頭部３ａ横断面における最大直線寸法Ｈの２倍以下の寸法である複数のアンカー孔７ａを有している。耐食害性を有する材料とは、ギ酸等のシロアリ３の分泌物に耐性でかつシロアリ３が噛み砕くことができないデュロメーター（ショアＤ）硬さが５０以上の高硬度の材料を意味する。このような耐食害性材料としては、ガラス・酸化アルミニウム（アルミナ）・酸化チタン（チタニア）等のセラミック、アクリル樹脂・ポリカーボネート・ポリアミド・硬質塩化ビニル樹脂等の合成樹脂、鉄鋼・ステンレス鋼等の金属等が挙げられる。メッシュ７としては、図８のような織物〔例えば、商品名「ターミメッシュ（ＴＥＲＭＩ−ＭＥＳＨ）」（ステンレスメッシュ，ターミメッシュ・オーストラリア社製）等〕の他、耐食害性を有する線材から製編された編物や、耐食害性を有する繊維から製造された不織布等が挙げられる。
【００２２】
アンカー孔７ａの寸法が前記最大直線寸法Ｈの２倍以下であれば、仮にシロアリがメッシュ７の外側まで侵入した場合でも、アンカー孔７ａを通り抜けることができないか又は通り抜けるのを嫌う。そのため、シロアリ３が改修用基礎断熱材６の内部、更には基礎断熱材２の内部を通過して木造構造体４へ侵入するのを阻止できるので、木造構造体４をシロアリ３による食害（蟻害）から保護することができる。
【００２３】
なお、アンカー孔７ａの寸法は、シロアリ３の基礎断熱材２への侵入を確実に阻止するために、いずれの方向においても前記最大直線寸法Ｈの１．５倍以下、好ましくは前記最大直線寸法Ｈ以下であることが望ましい。この点、前記最大直線寸法Ｈは、イエシロアリの働き蟻で１．１〜１．２５ｍｍ程度、ヤマトシロアリの働き蟻で１．０〜１．２ｍｍ程度であるので、ヤマトシロアリが生息する地域では、アンカー孔７ａの寸法はいずれの方向においても２．０ｍｍ程度以下、好ましくは１．５ｍｍ程度以下、より好ましくは１．０ｍｍ程度以下としておけばよい。メッシュ７は上記のような複数のアンカー孔７ａを有しているので、メッシュ７を接着モルタル１６で改修用基礎断熱材６やべた基礎１に取り付ける際は、接着モルタル１６がアンカー孔７ａを通して改修用基礎断熱材６やべた基礎１に接着される。そのため、メッシュ７の取り付けが簡単であると共に、アンカー孔７ａによるアンカー効果によってメッシュ７を強固に取り付けることができるという利点がある。
【００２４】
その後、図５に示すように、メッシュ７の上から改修用モルタル８を、基礎断熱材２の外側面２ａに塗布された仕上げモルタル９と面一となるように塗布する。このように、メッシュ７の上から改修用モルタル８を塗布すれば、メッシュ７を保護できるという利点がある。また、改修用モルタル８を仕上げモルタル９と面一となるように塗布すれば、その後の仕上げモルタル１０の塗布作業を行い易いという利点がある。
【００２５】
養生後、図６に示すように、改修用モルタル８及び仕上げモルタル９の上から仕上げモルタル１０を塗布し、養生後に掘削土５ａを埋め戻す。仕上げモルタル１０の塗布前には、適宜のプライマーを塗布することもできる。また、仕上げモルタル１０は、下塗り、耐アルカリ性ガラス繊維ネットやラス網等のひび割れ防止用メッシュの下塗り表層への埋設、上塗り等の工程により施工することもできる。
【００２６】
上記のような防蟻改修方法によれば、既に建築された既築建物Ａの防蟻を効果的に図ることができ、特に、基礎断熱材２がシロアリ３による食害を受ける前にその予防を図ることができるという利点がある。
【００２７】
第２実施形態に係る既築建物Ａの防蟻改修方法は、図９に示すように、第１実施形態において、メッシュ７の下端７ｂをべた基礎１の外周面１ａに取り付けた後、このメッシュ７の下端７ｂの外側から熱橋防止用基礎断熱材２１を取り付けるものである。
【００２８】
熱橋防止用基礎断熱材２１は、改修用基礎断熱材６や基礎断熱材２と同様の材質で構成されており、メッシュ７の下端７ｂの外側の段差部に接着剤又は接着モルタル等で取り付ける。熱橋防止用基礎断熱材２１の高さは、熱橋防止が確実となるように、段差部の高さと略同じ寸法としておくのが望ましい。改修用モルタル８は、メッシュ７及び熱橋防止用基礎断熱材２１の上から仕上げモルタル９と面一となるように塗布する。このように、メッシュ７及び熱橋防止用基礎断熱材２１の上から改修用モルタル８を塗布すれば、メッシュ７及び熱橋防止用基礎断熱材２１を保護できるという利点がある。その他の工程は、第１実施形態と同様である。
【００２９】
上記のような防蟻改修方法によれば、熱橋防止用基礎断熱材２１の存在により、前記段差部に熱橋（ヒートブリッジ）が形成されるのを防止できるという利点がある。なお、この実施形態の技術は、後述する他の実施形態にも採用できる。
【００３０】
第３実施形態に係る既築建物Ａの防蟻改修方法は、図１０乃至図１２に示すように、第１実施形態において、基礎断熱材２を全て除去し、べた基礎１の外周面１ａに改修用基礎断熱材６を取り付け、メッシュ７で改修用基礎断熱材６の外側面６ａの下端から少なくとも地上の所定高さまでの範囲及び下面６ｂを被覆すると共に、このメッシュ７の下端７ｂをべた基礎１の外周面１ａに取り付け、このメッシュ７の上から仕上げモルタルとしての改修用モルタル８を塗布するものである。
【００３１】
既築建物Ａの防蟻改修に際しては、図１０に示すように、まず、第１実施形態と同様にして基礎断熱材２の外側の地盤５を掘削するが、基礎断熱材２は全て除去する。
【００３２】
次いで、図１１に示すように、べた基礎１の外周面１ａに改修用基礎断熱材６を捨てコンクリート１５から上方へ間隔を開けて接着剤又は接着モルタル等で取り付け、メッシュ７で改修用基礎断熱材６の外側面６ａの下端から少なくとも地上の所定高さＬまでの範囲及び下面６ｂを被覆すると共に、このメッシュ７の下端７ｂをべた基礎１の外周面１ａに接着モルタル１６で取り付ける。メッシュ７を改修用基礎断熱材６の外側面６ａに取り付ける接着モルタル１６は、図１１のように、改修用基礎断熱材６の外側面６ａ全体に塗布することもできる。また、メッシュ７は、改修用基礎断熱材６の外側面６ａ全体を被覆するように取り付けることもできる。
【００３３】
その後、図１２に示すように、メッシュ７の上から改修用モルタル８を塗布する。このように、メッシュ７の上から改修用モルタル８を塗布すれば、メッシュ７を保護できると共に、仕上げモルタルとして塗布できるという利点がある。なお、上記の各工程の施工要領は、第１実施形態と同様である。
【００３４】
上記のような防蟻改修方法によれば、既築建物Ａの防蟻を効果的に図ることができ、特に、基礎断熱材２がシロアリ３による食害を受けた後にその改修をすることができるという利点がある。
【００３５】
第４実施形態に係る既築建物Ａの防蟻改修方法は、図１３乃至図１５に示すように、第１実施形態において、地盤５を掘削しないで基礎断熱材２の地面５ｂから少なくとも地上の所定高さＬまでの部分を除去し、べた基礎１の外周面１ａに改修用基礎断熱材６を取り付け、メッシュ７で改修用基礎断熱材６の外側面６ａ及び下面６ｂを被覆すると共に、このメッシュ７の下端７ｂをべた基礎１の外周面１ａに取り付け、このメッシュ７の上から改修用モルタル８を塗布し、この改修用モルタル８及び仕上げモルタル９の上から仕上げモルタル１０を塗布するものである。
【００３６】
既築建物Ａの防蟻改修に際しては、図１３に示すように、まず、第１実施形態とは異なり、基礎断熱材２の外側の地盤５を掘削しないで基礎断熱材２の地面５ｂから地上の所定高さＬまでの部分を除去する。なお、基礎断熱材２は地面５ｂから上方の部分を全て除去することもできるが、この場合の説明は、後述する第５実施形態で行う。
【００３７】
次いで、べた基礎１の外周面１ａに改修用基礎断熱材６を上方の基礎断熱材２の下面２ｂに当接するように接着剤又は接着モルタル等で取り付ける。
【００３８】
そして、図１４に示すように、メッシュ７で改修用基礎断熱材６の外側面６ａ及び下面６ｂを被覆すると共に、このメッシュ７の下端７ｂを接着モルタル１６でべた基礎１の外周面１ａに取り付ける。
【００３９】
その後、図１５に示すように、メッシュ７の上から改修用モルタル８を少なくとも上方の仕上げモルタル９と面一となるように塗布する。
【００４０】
養生後、改修用モルタル８及び上方の仕上げモルタル９の上から仕上げモルタル１０を塗布する。養生後は、地盤５を掘削していないので、掘削土５ａの埋め戻し作業は不要である。なお、上記の各工程の施工要領は、第１実施形態と同様である。
【００４１】
上記のような防蟻改修方法によれば、狭小敷地等により地盤５を掘削できない場合でも既築建物Ａの防蟻を効果的に図ることができ、特に、基礎断熱材２がシロアリ３による食害を受ける前にその予防を図ることができるという利点がある。
【００４２】
第５実施形態に係る既築建物Ａの防蟻改修方法は、図１６乃至図１８に示すように、第４実施形態において、基礎断熱材２の地面５ｂから上方の部分を除去し、第３実施形態と同様にべた基礎１の外周面１ａに改修用基礎断熱材６を取り付け、メッシュ７で改修用基礎断熱材６の外側面６ａの下端から少なくとも地上の所定高さＬまでの範囲及び下面６ｂを被覆すると共に、このメッシュ７の下端７ｂをべた基礎１の外周面１ａに取り付け、このメッシュ７の上から仕上げモルタルとしての改修用モルタル８を塗布するものである。
【００４３】
既築建物Ａの防蟻改修に際しては、図１６に示すように、まず、第４実施形態と同様に基礎断熱材２の外側の地盤５を掘削しないで基礎断熱材２の地面５ｂから上方の部分を除去し、べた基礎１の外周面１ａに改修用基礎断熱材６を基礎断熱材２から上方へ間隔を開けて接着剤又は接着モルタル等で取り付ける。
【００４４】
そして、図１７に示すように、メッシュ７で改修用基礎断熱材６の外側面６ａの下端から少なくとも地上の所定高さＬまでの範囲及び下面６ｂを被覆すると共に、このメッシュ７の下端７ｂを接着モルタル１６でべた基礎１の外周面１ａに取り付ける。
【００４５】
その後、図１８に示すように、メッシュ７の上から仕上げモルタルとしての改修用モルタル８を塗布する。なお、上記の各工程の施工要領は、第３及び第４実施形態と同様である。
【００４６】
上記のような防蟻改修方法によれば、狭小敷地等により地盤５を掘削できない場合でも既築建物Ａの防蟻を効果的に図ることができ、特に、基礎断熱材２がシロアリ３による食害を受けた後にその改修をすることができるという利点がある。
【００４７】
第６実施形態に係る既築建物Ａの防蟻改修方法は、図１９乃至図２３に示すように、第４実施形態の既築建物Ａの改修を、基礎断熱材２の上端部（一部）を除去してから行うものである。
【００４８】
既築建物Ａの防蟻改修に際しては、図１９に示すように、まず、基礎断熱材２の上端部を所定高さ除去する。除去後の基礎断熱材２の上面２ｃや除去した基礎断熱材２の上端部を観察すれば、基礎断熱材２がシロアリ３による食害を受けているか否かを確認できる。食害を受けていた場合は、図２０乃至図２３のように、第４実施形態と同様の施工要領で各工程を実施すればよい。なお、基礎断熱材２の食害確認用に除去する部分は上端部に限定されるものではなく、既述又は述の部分等、基礎断熱材２の所定の一部を除去できる。
【００４９】
この場合、図２１に示すように、べた基礎１の外周面１ａの段差部に熱橋防止用基礎断熱材６１を基礎断熱材２の上面２ｃに当接するように接着剤又は接着モルタル等で取り付けるのが望ましい。熱橋防止用基礎断熱材６１の高さは、熱橋防止が確実となるように、段差部の高さと略同じ寸法としておくのが望ましい。
【００５０】
熱橋防止用基礎断熱材６１の上からは、図２２及び図２３に示すように、少なくとも改修用モルタル８を仕上げモルタル９と面一となるように塗布する。改修用モルタル８の塗布前には、接着モルタル１６を塗布することもできる。
【００５１】
仕上げモルタル１０は、上方の改修用モルタル８、仕上げモルタル９、及び下方の改修用モルタル８の上から塗布する。
【００５２】
基礎断熱材２の上端部の除去による確認作業で基礎断熱材２が食害を受けていない場合は、防蟻改修を行わずに、べた基礎１の外周面１ａに熱橋防止用基礎断熱材６１を接着剤又は接着モルタル等で取り付け、この熱橋防止用基礎断熱材６１の上から少なくとも改修用モルタル８を仕上げモルタル９と面一となるように塗布し、この改修用モルタル８及び仕上げモルタル９の上から仕上げモルタル１０を塗布することによって、基礎外断熱構造をほぼ元の状態に修復することもできる。この場合の各工程の施工要領も、この実施形態と同様である。
【００５３】
上記のような防蟻改修方法によれば、基礎断熱材２がシロアリ３による食害を受けているか否かを確認してから防蟻改修を行えるという利点がある。また、熱橋防止用基礎断熱材６１を前記段差部に取り付ければ、第２実施形態と同様、熱橋防止用基礎断熱材６１の存在により、前記段差部に熱橋が形成されるのを防止できるという利点がある。なお、この実施形態の技術は、上記の各実施形態及び後述する各実施形態にも採用できる。
【００５４】
第７実施形態に係る既築建物Ａの防蟻改修方法は、図２４乃至図２６に示すように、第５実施形態において、基礎断熱材２におけるこの基礎断熱材２の外側の地盤５上に施工されたコンクリート体７１の上面７１ａから上方の部分を除去し、メッシュ７で少なくとも基礎断熱材２の上面２ｃを被覆し、このメッシュ７の上端７ｄをべた基礎１の外周面１ａに取り付けると共に、このメッシュ７の外端７ｅをコンクリート体７１の上面７１ａに取り付け、べた基礎１の外周面１ａにメッシュ７の上端７ｄを介して改修用基礎断熱材６を取り付け、メッシュ７の上から仕上げモルタルとしての改修用モルタル８を塗布するものである。
【００５５】
既築建物Ａの防蟻改修に際しては、図２４及び図２５に示すように、まず、基礎断熱材２におけるコンクリート体７１の上面７１ａから上方の部分を除去する。コンクリート体７１は、基礎断熱材２の外側の地盤５上に施工されている。このようなコンクリート体７１としては、犬走り等が挙げられる。
【００５６】
次いで、メッシュ７で少なくとも基礎断熱材２の上面２ｃを被覆し、このメッシュ７の上端７ｄを接着モルタル１６でべた基礎１の外周面１ａに取り付けると共に、このメッシュ７の外端７ｅを接着モルタル１６でコンクリート体７１の上面７１ａに取り付ける。この場合、断面がＬ字状となったメッシュ７の角部等には、コンクリート体７１の乾燥収縮や地震時等におけるコンクリート体７１やべた基礎１の変位に追従できるように、変位吸収用のひだ部７２等を設けておくのが望ましい。また、ひだ部７２の上からは、ひだ部７２が改修用モルタル８等により埋設、固定されるのを防止するために、布テープ等のカバー材７３を貼り付ける等してひだ部７２に改修用モルタル８等が浸入しないように被覆しておくのが望ましい。
【００５７】
そして、図２６に示すように、べた基礎１の外周面１ａにメッシュ７の上端７ｄを介して改修用基礎断熱材６を接着剤又は接着モルタル等で取り付け、改修用基礎断熱材６及びコンクリート体７１の上から仕上げモルタルとしての改修用モルタル８を塗布する。改修用基礎断熱材６の取り付け前には、この実施形態のように、べた基礎１の外周面１ａにモルタル７４等を塗布してレベル調整しておくこともできる。なお、上記の各工程の施工要領は、第５実施形態と同様である。
【００５８】
上記のような防蟻改修方法によれば、コンクリート体７１の存在により地盤５を掘削できない場合でも既築建物Ａの防蟻を効果的に図ることができ、特に、基礎断熱材２がシロアリ３による食害を受けた後にその改修をすることができるという利点がある。
【００５９】
第８実施形態に係る既築建物Ａの防蟻改修方法は、図２７に示すように、第３実施形態において、べた基礎１の代わりに布基礎（基礎）８１を採用したものである。
【００６０】
布基礎８１は、既築建物Ａの外周部等に施工されており、立ち上がり部８２とベース部８３とから横断面が例えば逆Ｔ字状に形成されている。ベース部８３の下には、砕石層１４及び捨てコンクリート１５が下方からこの順に施工されている。なお、捨てコンクリート１５は、必須のものではない。また、立ち上がり部８２の内側の地盤５上には、防湿コンクリート又は土間コンクリート等のコンクリート体８４が施工されている。コンクリート体８４上には床下空間８５が形成されているが、床下空間８５は必須のものではなく、コンクリート体８４をより高い位置に施工してもよい。
【００６１】
基礎断熱材２は、立ち上がり部８２の外側面８２ａに設けられている。布基礎８１の外周面８２ａは、立ち上がり部８２の外側面８２ａから構成されている。防蟻改修に際しての施工要領は、第３実施形態と同様である。
【００６２】
上記のような防蟻改修方法によれば、既築建物Ａの防蟻を効果的に図ることができ、特に、基礎断熱材２がシロアリ３による食害を受けた後にその改修をすることができるという利点がある。なお、第３実施形態以外の実施形態においても、べた基礎１の代わりに布基礎８１を採用できる。
【００６３】
第９実施形態に係る既築建物Ａの防蟻改修方法は、図２８に示すように、第７実施形態において、べた基礎１の代わりに第８実施形態と同様の布基礎（基礎）８１を採用し、基礎断熱材２を布基礎８１の内周面８２ｂに設けたものである。
【００６４】
基礎断熱材２は、立ち上がり部８２の内側面８２ｂに設けられている。布基礎８１の内周面８２ｂは、立ち上がり部８２の内側面８２ｂから構成されている。基礎断熱材２の内側の地盤５上には、コンクリート体８４が施工されている。
【００６５】
防蟻改修に際しての施工要領は、第７実施形態とほぼ同様であるが、この実施形態においては、基礎断熱材２におけるコンクリート体８４の上面８４ａから上方の部分を除去し、メッシュ７で少なくとも基礎断熱材２の上面２ｃを被覆し、このメッシュ７の上端７ｄを布基礎８１の内周面８２ｂに取り付けると共に、このメッシュ７の内端７ｆをコンクリート体８４の上面８４ａに取り付け、布基礎８１の内周面８２ｂにメッシュ７の上端７ｄを介して改修用基礎断熱材６を取り付けるものである。なお、改修用基礎断熱材６の取り付け前には、この実施形態のように、布基礎８１の内周面８２ｂにモルタル７４等を塗布してレベル調整しておくこともできる。
【００６６】
上記のような防蟻改修方法によれば、コンクリート体８４の存在により地盤５を掘削できない場合でも既築建物Ａの防蟻を効果的に図ることができ、特に、基礎断熱材２がシロアリ３による食害を受けた後にその改修をすることができるという利点がある。
【００６７】
【発明の効果】
以上のように、請求項１の発明によれば、狭小敷地等により地盤を掘削できない場合でも既築建物の防蟻を効果的に図ることができ、基礎断熱材がシロアリによる食害を受ける前の予防又は食害を受けた後の改修を図ることができる。
【００６８】
請求項２の発明によれば、既に建築された既築建物の防蟻を効果的に図ることができ、基礎断熱材がシロアリによる食害を受ける前の予防又は食害を受けた後の改修を図ることができる。
【００６９】
請求項３の発明によれば、熱橋防止用基礎断熱材の存在により、前記段差部に熱橋が形成されるのを防止できる。
【００７０】
請求項４の発明によれば、コンクリート体の存在により地盤を掘削できない場合でも既築建物の防蟻を効果的に図ることができ、基礎断熱材がシロアリによる食害を受ける前の予防又は食害を受けた後の改修を図ることができる。
【００７１】
請求項５の発明によれば、メッシュの上から改修用モルタルを塗布するので、少なくともメッシュを保護できる。
【００７２】
請求項６の発明によれば、既築建物の改修を、基礎断熱材の一部を除去してから行うので、基礎断熱材がシロアリによる食害を受けているか否かを確認してから防蟻改修を行える。
【図面の簡単な説明】
【図１】第１実施形態に係る既築建物の防蟻改修方法を実施する前のべた基礎の外周部付近の要部拡大縦断面図。
【図２】地盤を掘削し、基礎断熱材の下端から地上の所定高さまでの部分を除去した状態を示す要部拡大縦断面図。
【図３】改修用基礎断熱材を取り付けた状態を示す要部拡大縦断面図。
【図４】メッシュを取り付けた状態を示す要部拡大縦断面図。
【図５】メッシュの上から改修用モルタルを塗布した状態を示す要部拡大縦断面図。
【図６】改修用仕上げモルタルを塗布した状態を示す要部拡大縦断面図。
【図７】（ａ）はシロアリの平面図、（ｂ）は（ａ）のＹ−Ｙ線断面図。
【図８】メッシュの要部拡大平面図。
【図９】第２実施形態に係る既築建物の防蟻改修方法において、熱橋防止用基礎断熱材を取り付けた後に改修用モルタルを塗布した状態を示す要部拡大縦断面図。
【図１０】第３実施形態に係る既築建物の防蟻改修方法において、地盤を掘削し、基礎断熱材を除去し、改修用基礎断熱材を取り付けた状態を示す要部拡大縦断面図。
【図１１】メッシュを取り付けた状態を示す要部拡大縦断面図。
【図１２】改修用仕上げモルタルを塗布した状態を示す要部拡大縦断面図。
【図１３】第４実施形態に係る既築建物の防蟻改修方法において、基礎断熱材の地面から地上の所定高さまでの部分を除去し、改修用基礎断熱材を取り付けた状態を示す要部拡大縦断面図。
【図１４】メッシュを取り付けた状態を示す要部拡大縦断面図。
【図１５】メッシュの上から改修用モルタルを塗布し、仕上げモルタルを塗布した状態を示す要部拡大縦断面図。
【図１６】第５実施形態に係る既築建物の防蟻改修方法において、基礎断熱材の地面から上方の部分を除去し、改修用基礎断熱材を取り付けた状態を示す要部拡大縦断面図。
【図１７】メッシュを取り付けた状態を示す要部拡大縦断面図。
【図１８】改修用仕上げモルタルを塗布した状態を示す要部拡大縦断面図。
【図１９】第６実施形態に係る既築建物の防蟻改修方法において、基礎断熱材の上端部を除去した状態を示す要部拡大縦断面図。
【図２０】基礎断熱材の地面から地上の所定高さまでの部分を除去した状態を示す要部拡大縦断面図。
【図２１】改修用基礎断熱材を取り付けた状態を示す要部拡大縦断面図。
【図２２】メッシュを取り付けた状態を示す要部拡大縦断面図。
【図２３】改修用モルタルを塗布し、仕上げモルタルを塗布した状態を示す要部拡大縦断面図。
【図２４】第７実施形態に係る既築建物の防蟻改修方法を実施する前のべた基礎の外周部付近を示す要部拡大縦断面図。
【図２５】基礎断熱材におけるコンクリート体の上面から上方の部分を除去し、メッシュを取り付けた状態を示す要部拡大縦断面図。
【図２６】改修用基礎断熱材を取り付け、改修用仕上げモルタルを塗布した状態を示す要部拡大縦断面図。
【図２７】第８実施形態に係る既築建物の防蟻改修方法において、メッシュの上から改修用モルタルを塗布した状態を示す要部拡大縦断面図。
【図２８】第９実施形態に係る既築建物の防蟻改修方法において、メッシュの上から改修用モルタルを塗布した状態を示す要部拡大縦断面図。
【符号の説明】
Ａ  既築建物
１  べた基礎（基礎）
１ａ  外周面
２  基礎断熱材
２ａ  外側面
２ｃ  上面
３  シロアリ
３ａ  頭部
４  木造構造体
５  地盤
５ｂ  地面
６  改修用基礎断熱材
６ａ  外側面
６ｂ  下面
７  メッシュ
７ａ  アンカー孔
７ｂ  下端
７ｄ  上端
７ｅ  外端
７ｆ  内端
８  改修用モルタル
９  仕上げモルタル
２１，６１  熱橋防止用基礎断熱材
７１  コンクリート体
７１ａ  上面
８１  布基礎（基礎）
８２ａ  外周面
８２ｂ  内周面
８４  コンクリート体
８４ａ  上面
【図１】
2004293164.tif 000003
【図２】
2004293164.tif 000004
【図３】
2004293164.tif 000005
【図４】
2004293164.tif 000006
【図５】
2004293164.tif 000007
【図６】
2004293164.tif 000008
【図７】
2004293164.tif 000009
【図８】
2004293164.tif 000010
【図９】
2004293164.tif 000011
【図１０】
2004293164.tif 000012
【図１１】
2004293164.tif 000013
【図１２】
2004293164.tif 000014
【図１３】
2004293164.tif 000015
【図１４】
2004293164.tif 000016
【図１５】
2004293164.tif 000017
【図１６】
2004293164.tif 000018
【図１７】
2004293164.tif 000019
【図１８】
2004293164.tif 000020
【図１９】
2004293164.tif 000021
【図２０】
2004293164.tif 000022
【図２１】
2004293164.tif 000023
【図２２】
2004293164.tif 000024
【図２３】
2004293164.tif 000025
【図２４】
2004293164.tif 000026
【図２５】
2004293164.tif 000027
【図２６】
2004293164.tif 000028
【図２７】
2004293164.tif 000029
【図２８】
2004293164.tif 000030